(57)【特許請求の範囲】
【請求項１】
共用操作棒のジョイント部に接続可能に形成された接続部と、前記接続部の軸線上に設けられ床面に対して自立可能に形成された土台部とを有して構成され、
前記土台部は、内部が充填された円錐台状に形成され、また、前記土台部の底面の幅は、前記共用操作棒のツバの幅よりも大きく形成され、
前記土台部の重量は、前記共用操作棒よりも重くなっており、
前記共用操作棒の軸方向を前記床面と略平行にして前記共用操作棒を前記床面に載置するときに、前記共用操作棒の先端部近傍と前記土台部の底面の淵とのみが前記床面に接触するように前記土台部の底面の大きさが設定されていることを特徴とする共用操作棒の固定台。
【請求項２】
請求項１に記載の共用操作棒の固定台が前記ジョイント部に接続された共用操作棒。
【発明の詳細な説明】
【技術分野】
【０００１】
本発明は、高所用作業者のバケット内等での間接活線作業で使用される共用操作棒の共用操作棒の固定台及びこれを用いた共用操作棒に関する。
【背景技術】
【０００２】
たとえば、高所作業車のバケット内で間接活線作業を行う場合、複数の共用操作棒を用いて作業内容に応じた先端工具に先端部を付け替えて作業をし、作業工程の一部が終了すると次の作業工程で必要になるまでバケット内に共用操作棒を立て掛けている。
【０００３】
ところが、バケット内に共用操作棒を斜めに立て掛けると、作業の邪魔になったり、共用操作棒同士が絡まったりするため作業性が悪化する問題がある。
また、作業者が立て掛けた共用操作棒を手にしたときに、絡まった共用操作棒が不意に飛び出して怪我するおそれや、バケット内を整理する手間と時間がかかり、作業時間が延びる問題もある。
【０００４】
そこで、複数の共用操作棒を収容可能な収納袋をバケットの外側にフックで取り付けて、使用していない共用操作棒をこの収納袋に入れて管理することが考えられている（特許文献１参照）。
【０００５】
また、２本の共用操作棒を同時に使用して作業する場合には、バケットの淵を挟み込むようにして固定台を設置し、この固定台に一方の共用操作棒を固定する固定器具を使用して作業を行うことも提案されている（特許文献２参照）。
【先行技術文献】
【特許文献】
【０００６】
【特許文献１】特開２０１２−１３５１２２号公報
【特許文献２】特開２０００−３２４６７３号公報
【発明の概要】
【発明が解決しようとする課題】
【０００７】
しかしながら、特許文献１に記載の収納袋では、共用操作棒を収納袋から引き上げるときに、絡まった他の共用操作棒も同時に引き上げられるおそれがあるため、不意に共用操作棒を落下させないように慎重に共用操作棒を出し入れしたり、共用操作棒同士が絡まるのを防止するため、収納袋に収納する都度整理をしなくてはならないため手間がかかり作業性が悪い問題がある。
また、共用操作棒に先端工具を取り付けて収納袋に収納するため、重い先端工具が共用操作棒に装着されている場合、収納袋が反転して落下するおそれがある。
【０００８】
さらに、特許文献２に記載の固定器具は、複数の操作棒を固定するためには、固定器具もその数に応じて必要になり、重い固定器具をバケットに取り付けなければならず、作業時間が長くなり作業性が悪い問題がある。
【０００９】
本発明は、かかる事情に鑑みてなされたものであり、間接活線作業の作業性を損なわずに作業箇所（たとえば、高所作業車のバケット内）を容易に整理することができる共用操作棒の固定台及びこれを用いた共用操作棒を提供することを主たる課題としている。
【課題を解決するための手段】
【００１０】
上記課題を達成するために、本発明に係る共用操作棒の固定台は、共用操作棒のジョイント部に接続可能に形成された接続部と、前記接続部の軸線上に設けられ床面に対して自立可能に形成された土台部とを有して構成され、前記土台部は、内部が充填された円錐台状に形成され、また、前記土台部の底面の幅は、前記共用操作棒のツバの幅よりも大きく形成され、前記土台部の重量は、前記共用操作棒よりも重くなっており、前記共用操作棒の軸方向を前記床面と略平行にして前記共用操作棒を前記床面に載置するときに、前記共用操作棒の先端部近傍と前記土台部の底面の淵とのみが前記床面に接触するように前記土台部の底面の大きさが設定されていることを特徴としている。
【００１１】
共用操作棒の固定台の土台部の底面の幅が、共用操作棒のツバの幅よりも大きく形成されることで、共用操作棒に接続して床面に立設したときに共用操作棒が転倒することを防ぐことができ、作業性を損なわずに作業箇所を容易に整理することが可能となる。
特に、共用操作棒を横倒しに置いたときに、共用操作棒に設けられたゴム製のツバは、荷重を受けることにより変形し、その状態が長期間継続するとツバが劣化して塑性変形することになるが、土台部の底面の幅がツバの幅より大きいことで、ツバに共用操作棒の荷重がかかることを防ぎ、ツバの塑性変形を防止することが可能となる。
また、高所作業車のバケットの床面に立設させた場合には、収納袋を利用せずにバケット内を整理することが可能となるため、袋が反転して共用操作棒が落下する落下事故を防ぐことができる。
また、土台部の重量は、共用操作棒よりも重いことにより、固定台がより安定して共用操作棒を支えることができ、共用操作棒の転倒を防ぐことが可能となる。
さらに、土台部が円錐台に形成されることで、共用操作棒の重心をより床面方向にすることが可能となり、また、床面との接触面積を大きく確保することが可能となり安定して共用操作棒を立てることが可能となる。
さらにまた、共用操作棒を横倒しにして置いたときに、基端部に重心が偏ることを防止することが可能になるため、土台部の重みにより共用操作棒が不意に立ち上がることを防止することが可能となる。
また、共用操作棒の先端部の近傍と土台部の底面の淵とのみが床面に接触するように前記土台部の底面の大きさが設定されることで、ツバに共用操作棒の荷重がかかることを確実に防ぎ、ツバの塑性変形を防止することが可能となる。
【００１２】
このように構成された共用操作棒の固定台がジョイント部に接続された共用操作棒として使用されてもよい。
【発明の効果】
【００１３】
以上述べたように、本発明の共用操作棒の固定台によれば、共用操作棒の固定台の土台部の底面の幅が、共用操作棒のツバの幅よりも大きく形成されることで、共用操作棒に接続して床面に立設したときに共用操作棒が転倒することを防ぐことができ、作業性を損なわずに作業箇所を容易に整理することが可能となることで作業時間の短縮を図ることができる。
特に、共用操作棒を横倒しに置いたときに、共用操作棒に設けられたゴム製のツバは、荷重を受けることにより変形し、その状態が長期間継続するとツバが劣化して塑性変形することになるが、土台部の底面の幅がツバの幅より大きいことで、ツバに共用操作棒の荷重がかかることを防ぎ、ツバの塑性変形を防止することが可能となる。
また、高所作業車のバケットの床面に立設させた場合には、収納袋を利用せずにバケット内を整理することが可能となるため、袋が反転して共用操作棒が落下する落下事故を防ぐことができる。
【図面の簡単な説明】
【００１４】
【図１】図１は、本発明の共用操作棒の固定台の全体を示す斜視図である。
【図２】図２は、共用操作棒に本発明の共用操作棒の固定台を装着した状態を示す正面図である。
【図３】図３は、高所用作業車のバケットに共用操作棒の固定台を装着した共用操作棒を立設した状態を示す正面図である。
【図４】図４は、高所用作業車のバケットに共用操作棒の固定台を装着した共用操作棒を横倒しにした状態を示す正面図である。
【発明を実施するための形態】
【００１５】
以下、本発明の共用操作棒の固定台について、高所作業車のバケット内で作業を行う場合を一例として添付図面を参照して説明する。
【００１６】
図１から図３に示すように、共用操作棒の固定台１は、共用操作棒２の後述するジョイント部２３に接続可能に形成された接続部１１が先端に形成され、高所作業車のバケット３の床面３１に立設する土台部１２が基端に形成され、接続部１１と土台部１２との間に共用操作棒２との接続を固定する固定ネジ１３が設けられて構成されている。
【００１７】
接続部１１は、円柱状に形成された嵌合部１４と、共用操作棒の固定台１の軸を中心として外方に向かって左右に突出形成された係合突起１５と、嵌合部１４の上面に設けられ嵌合部１４内に収納されたバネ（図示せず）によって上方に付勢された付勢部１６と、を有して構成されている。
【００１８】
土台部１２は、接続部１１の軸線上に設けられているもので、先端側に位置する上面１７よりも基端側に位置する底面１８が幅広となる円錐台状に形成され、金属や樹脂などによりその内部が充填されることで共用操作棒２よりも重くなっている。
【００１９】
また、底面１８の幅Ｌは、共用操作棒２のツバの幅Ｍよりも大きく形成され、共用操作棒２に接続した状態で軸方向をバケット３の床面３１と略平行にして共用操作棒２を横倒しにしたとき、共用操作棒２の先端部２０の近傍と土台部１２の底面の淵１８ａとのみがバケット３の床面３１に接触するように、（後述する共用操作棒２の先端側に設けられた雨切りツバ２５が床面３１に接触しないように）外方に突出して形成されている。
【００２０】
本発明の共用操作棒の固定台１を取り付ける共用操作棒２は、先端に設けられ種々の先端工具４を取り付け可能に形成された先端部２０を有する上側棒部２１と、上側棒部２１の下方に位置する中間棒部２２と、共用操作棒の固定台１と接続可能に形成されたジョイント部２３を有する下側棒部２４とが一体に形成され、ＦＲＰ（繊維強化プラスチック）等の絶縁体素材により構成されている。
【００２１】
上側棒部２１の先端部２０の下方には、先端部２０に先端工具４を取り付けたときに接続を固定する固定ネジ２０ａが設けられている。
共用操作棒の上側棒部２１と中間棒部２２との間には、円錐台状に形成され、上側棒部２１に付着した雨が中間棒部２２および下側棒部２４に沿って流れるのを阻止する雨切りツバ２５が設けられ、中間棒部２２と下側棒部２４との間には、作業者が所定位置より先端方向の共用操作棒２を握ることを防止する限界ツバ２６が設けられている。なお、雨切りツバ２５と限界ツバ２６とは、共にゴム等の絶縁体で形成されている。
【００２２】
以上で説明した共用操作棒の固定台１を共用操作棒２に接続するときは、共用操作棒の固定台１の接続部１１を共用操作棒２のジョイント部２３に押し込んで付勢部１６を圧縮させ、接続部１１の係合突起１５をジョイント部２３の嵌合孔２３ａに嵌め合わせた後に固定ネジ１３を締めて共用操作棒の固定台１を固定する。
【００２３】
また、図３に示すように、バケット３内に立てかけて共用操作棒２を立設するときは、共用操作棒の固定台１の土台部１２の底面１８をバケット３の床面３１に当接させて共用操作棒２を立設させる。
【００２４】
一方、図４に示すように、バケット３内に共用操作棒２を横倒しにして（軸方向をバケット３の床面３１と略平行にして）共用操作棒２を収容するときは、土台部１２の底面の淵１８ａを立てるようにバケット３の床面３１に共用操作棒２を置く。このとき、バケット３の床面３１に接触している共用操作棒の固定台１の部位は、土台部１２の底面の淵１８ａであり、共用操作棒２の床面３１に接触している部位は、先端部２０の近傍に設けられた固定ネジ２０ａである。
【００２５】
以上のように、本発明の共用操作棒の固定台１によれば、共用操作棒の固定台１の土台部の底面１８幅Ｌが、共用操作棒２のツバ２５，２６の幅Ｍよりも大きく形成されことで、共用操作棒２に接続してバケット３の床面３１に立設したときに共用操作棒２が転倒することを防ぐことができ、作業性を損なわずに作業箇所を容易に整理することが可能となることで作業時間の短縮を図ることができる。
特に、共用操作棒２を横倒しに置いたときに、土台部１２の底面１８の幅Ｌが両ツバ２５，２６の幅Ｍより大きいことで、ツバ２５，２６に共用操作棒の荷重がかかることを防ぎ、ツバ２５，２６の塑性変形を防止することが可能となる。
また、高所作業車のバケット３の床面３１に共用操作棒２を立設することで、収納袋を利用せずにバケット３内を整理することが可能となるため、袋が反転して共用操作棒２が落下する落下事故を防ぐことができる。
【００２６】
また、土台部１２の重量は、共用操作棒２よりも重いことにより、共用操作棒の固定台１がより安定して共用操作棒２を支えることができ、共用操作棒２の転倒を防ぐことが可能となる。
【００２７】
さらに、土台部１２が円錐台に形成されることで、共用操作棒２の重心をよりバケット３の床面３１方向にすることが可能となり、また、バケット３の床面３１との接触面積を大きく確保することが可能となり安定して共用操作棒２を立てることが可能となる。
また、共用操作棒を横倒しにして置いたときに、基端部に重心が偏ることを防止することが可能になるため、土台部の重みにより共用操作棒が不意に立ち上がることを防止することが可能となる。
【００２８】
さらに、共用操作棒２の軸方向をバケット３の床面３１と略平行にして共用操作棒２を載置するとき、共用操作棒２の先端部２０の近傍（固定ネジ２０ａ）と土台部１２の底面の淵１８ａとのみがバケット３の床面３１に接触するように土台部１２の底面１８の大きさが設定されることで、雨切りツバ２５と限界ツバ２６とに共用操作棒２の荷重がかかること確実に防ぎ、両ツバ２５，２６の塑性変形を防止すること可能となる。
【符号の説明】
【００２９】
１  共用操作棒の固定台
１１  接続部
１２  土台部
１８  土台部の底面
１８ａ  土台部の底面の淵
２  共用操作棒
２０  先端部
２３  ジョイント部、
２５  雨切りツバ
２６  限界ツバ
３  バケット、
３１  バケットの床面、
Ｌ  土台部の底面の幅
Ｍ  ツバの幅
【要約】      （修正有）【課題】間接活線作業の作業性を損なわずに作業箇所（たとえば、高所作業車のバケット内）を容易に整理することができる共用操作棒の固定台及びこれを用いた共用操作棒を提供する。【解決手段】共用操作棒の固定台１は、共用操作棒２のジョイント部２３に接続可能に形成された接続部と、前記接続部の軸線上に設けられ床面に対して自立可能に形成された土台部１２とを有して構成されている。土台部の幅Ｌは、共用操作棒の雨切りツバ２５の幅Ｍよりも大きく形成されている。したがって土台部がこのように形成されることで、共用操作棒に接続して共用操作棒を床面に立設させたときに共用操作棒が転倒することを防ぐことができ、作業性を損なわずにバケット内を容易に整理することができる。【選択図】図２【図１】
0005461659.tif 000002
【図２】
0005461659.tif 000003
【図３】
0005461659.tif 000004
【図４】
0005461659.tif 000005